(57)【要約】【課題】設置が容易で、接地抵抗値を低減することができる接地体及び該接地体を備える接地構造物を提供すること。【解決手段】接地体１は、少なくとも一部が地中に埋設される埋設体２と、埋設体２の厚さ方向に延び一端が埋設体２の上面に露出し、他端が埋設体２の下面に露出する第１導体部４１と、埋設体２の下面に配置され、第１導体部４１と接続されるシート状の接地部３と、を備える。接地構造物１０は、少なくとも一部が地中に埋設される埋設体２、埋設体２の厚さ方向に延び一端が埋設体２の上面に露出し、他端が埋設体２の下面に露出する第１導体部４１及び埋設体２の下面に配置され第１導体部４１と接続されるシート状の接地部３を有する接地体１と、一端が変圧器１０１に接続され、他端が埋設体２の上面において第１導体部４１に接続される接続部５と、を備える。【選択図】図１
2010238560.tif 000002
【特許請求の範囲】
【請求項１】
少なくとも一部が地中に埋設される埋設体と、
該埋設体の厚さ方向に延び一端が前記埋設体の上面に露出し、他端が前記埋設体の下面に露出する第１導体部と、
前記埋設体の下面に配置され、前記第１導体部と接続されるシート状の接地部と、を備える接地体。
【請求項２】
少なくとも一部が地中に埋設される埋設体、該埋設体の厚さ方向に延び一端が前記埋設体の上面に露出し、他端が前記埋設体の下面に露出する第１導体部及び前記埋設体の下面に配置され前記第１導体部と接続されるシート状の接地部を有する接地体と、
一端が接地対象物に接続され、他端が前記埋設体の上面において前記第１導体部に接続される接続部と、を備える接地構造物。
【請求項３】
前記接地体は、前記埋設体の厚さ方向に延び一端が該埋設体の上面に露出し、他端が該埋設体の下面に露出して前記接地部に接続される第２導体部を備えるとともに、該接地体が所定間隔をあけて複数配置され、
複数の前記接地体のうちの隣り合う２つの前記接地体を連結する連結部をさらに備え、
前記連結部の一端は、隣り合う２つの接地体のうちの一方の接地体における前記第１導体部に接続され、前記連結部の他端は、隣り合う２つの接地体のうちの他方の接地体における前記第２導体部に接続される請求項２に記載の接地構造物。
【請求項４】
前記連結部は、絶縁性の部材で被覆される請求項３に記載の接地構造物。
【請求項５】
前記埋設体は、横断面が略Ｕ字状の凹部を備える側溝により構成される請求項２から４のいずれかに記載の接地構造物。
【発明の詳細な説明】
【技術分野】
【０００１】
本発明は、接地体及び該接地体を備える接地構造物に関する。
【背景技術】
【０００２】
従来より、電柱に設置された変圧器などの接地対象物の接地をするため、接地対象物と接続された棒状の接地部を地中に打ち込み、接地することが行われている。例えば、一端が接地対象物に接続されるリード線と、このリード線の他端に接続される棒状の接地部とを備える接地構造物が知られている（特許文献１参照）。
【先行技術文献】
【特許文献】
【０００３】
【特許文献１】特開２０００−１６４３１２号公報
【発明の概要】
【発明が解決しようとする課題】
【０００４】
しかしながら、特許文献１に記載の接地構造物によれば、接地部が棒状の形状を有するため、接地部と土壌との接触面積が小さくなり、接地抵抗値を小さくしづらいという問題があった。また、接地抵抗値を小さくするには接地部を連結させて多数設置する必要があったが、接地部を多数設置するためコストが高くなり、棒状の接地部を打ち込むことが可能な場所を確保することが困難という問題もあった。
【０００５】
上記のような問題に鑑み、本発明は、設置が容易で、接地抵抗値を低減することができる接地体及び該接地体を備える接地構造物を提供することを目的とする。
【課題を解決するための手段】
【０００６】
（１）  本発明の接地体は、少なくとも一部が地中に埋設される埋設体と、該埋設体の厚さ方向に延び一端が前記埋設体の上面に露出し、他端が前記埋設体の下面に露出する第１導体部と、前記埋設体の下面に配置され、前記第１導体部と接続されるシート状の接地部と、を備える。
【０００７】
（２）  本発明の接地構造物は、少なくとも一部が地中に埋設される埋設体、該埋設体の厚さ方向に延び一端が前記埋設体の上面に露出し、他端が前記埋設体の下面に露出する第１導体部及び前記埋設体の下面に配置され前記第１導体部と接続されるシート状の接地部を有する接地体と、一端が接地対象物に接続され、他端が前記埋設体の上面において前記第１導体部に接続される接続部と、を備える。
【０００８】
（３）  前記接地体は、前記埋設体の厚さ方向に延び一端が該埋設体の上面に露出し、他端が該埋設体の下面に露出して前記接地部に接続される第２導体部を備えるとともに、該接地体が所定間隔をあけて複数配置され、
複数の前記接地体のうちの隣り合う２つの前記接地体を連結する連結部をさらに備え、
前記連結部の一端は、隣り合う２つの接地体のうちの一方の接地体における前記第１導体部に接続され、前記連結部の他端は、隣り合う２つの接地体のうちの他方の接地体における前記第２導体部に接続されることが好ましい。
【０００９】
（４）  前記連結部は、絶縁性の部材で被覆されることが好ましい。
【００１０】
（５）  前記埋設体は、横断面が略Ｕ字状の凹部を備える側溝により構成されることが好ましい。
【発明の効果】
【００１１】
本発明によれば、設置が容易で、接地抵抗値を低減することができる接地体及び該接地体を備える接地構造物を提供することができる。
【図面の簡単な説明】
【００１２】
【図１】本実施形態における接地体及び接地構造物を示す概略図である。
【図２】本実施形態における接地体の縦断面図である。
【図３】図２に示す接地体のＸ−Ｘ断面図である。
【発明を実施するための形態】
【００１３】
以下、本発明の接地体１及び接地構造物１０の一実施形態について具体的に説明する。図１は本実施形態の接地体１及び接地構造物１０が地中に埋設された状態の概略図である。線Ｇは、地面を示す。図２は、接地体１の縦断面図である。図３は、図２に示す接地体１のＸ−Ｘ断面図である。
【００１４】
図１に示すように、接地構造物１０は、所定方向に延びるように配置される複数の接地体１と、隣り合う２つの接地体１を連結する連結部６と、複数の接地体１のうちの一端に配置された接地体１に接続される接続部５と、を備える。
接地体１は、埋設体２と、第１導体部４１と、第２導体部４２と、接地部３と、を備える。
【００１５】
埋設体２は、少なくとも一部が地中に埋設される。埋設体２は、例えば、横断面が略Ｕ字状の凹部を備えるコンクリート製の側溝により構成される。図２及び図３に示すように、埋設体２は、凹部の底部２２と、底部２２から埋設体２の厚さ方向に延び向かい合う一対の側壁２１とを備える。側壁２１は、埋設体２の縦断面視で略長方形の形状を備える。側壁２１の長手方向における一端と他端には、埋設体２の厚さ方向に延びる貫通孔４３が設けられている。埋設体２の凹部の上面側は開口となっており、開口は、蓋２０によって覆われている。
【００１６】
第１導体部４１は、埋設体２の厚さ方向に延び、一端が埋設体２の上面２ａに露出し、他端が埋設体２の下面２ｂに露出する。第１導体部４１は、埋設体２の側壁２１における長手方向の一端側の貫通孔４３を挿通する導線により構成される。
【００１７】
第２導体部４２は、埋設体２の厚さ方向に延び、一端が埋設体２の上面２ａに露出し、他端が埋設体２の下面２ｂに露出する。第２導体部４２は、埋設体２の側壁２１における長手方向の他端側の貫通孔４３を挿通する導線により構成される。
【００１８】
接地部３は、埋設体２の底部２２における下面２ｂに配置され、第１導体部４１の下端４１ｂ及び第２導体部４２の下端４２ｂに接続されている。接地部３は、埋設体２の下面に固定されている。接地部３は、略長方形の形状を有し、導電性を有する可撓性のシート部材で形成されている。図示を省略するが、接地部３の下面には、下方に向けて突出する複数の凸部が設けられる。接地部３の上面は平坦である。
【００１９】
接地部３の寸法は、例えば、長手方向が１３００〜１６００ｍｍ、短手方向が８００ｍｍ〜１１００ｍｍ、厚さ方向が１０〜２０ｍｍである。複数の凸部３１の高さは、例えば、１４〜１８ｍｍである。接地部３は、導電性を有する樹脂で構成されていることから、延伸性を有し、鉄等の金属で構成される場合に比べて引張り強度が高い。樹脂は、例えば炭素繊維を含有するものが好ましい。
【００２０】
接続部５は、一端が接地対象物に接続され、他端が第１導体部４１に接続される導線により構成される。接地対象物とは、接地を必要とする機器などを示す。接地対象物としては、例えば電柱１００に設けられた変圧器１０１や、避雷器、架空地線、通信用ケーブルなどが挙げられる。本実施形態では、例えば、接続部５の一端は、電柱１００に設けられた変圧器１０１に接続されている。接続部５の他端は、第１導体部４１に接続されている。接続部５の変圧器１０１に接続される一端及び第１導体部４１に接続される他端を除いた部分は、絶縁体で被覆されている。
【００２１】
連結部６は、隣り合う２つの接地体１のうちの一方の接地体１と他方の接地体１とを連結する。連結部６の一端は、一方の接地体１における第１導体部４１を構成する導線の上端４１ａに接続されている。連結部６の他端は、他方の接地体１における第２導体部４２構成する導線の上端４２ａに接続されている。連結部６は、例えば、導線により構成される。連結部６の一端及び他端を除いた部分は、絶縁性の部材６１であるゴムで被覆されている。
【００２２】
なお、側溝は蓋２０により覆われている。このため、蓋２０が側溝に隙間なく嵌合できるように、蓋２０には連結部６を収納する凹部６２が形成されている。
【００２３】
次に、本発明の作用について説明する。
埋設体２は、接地する変圧器１０１が設けられた電柱１００の近傍の地中に埋設される。埋設体２の底部２２における下面２ｂには、導電性のシート部材で形成される接地部３が配置されている。埋設体２には、その厚さ方向に延び、一端が埋設体２の上面２ａに露出し、他端が埋設体２の下面２ｂに露出する第１導体部４１が設けられている。第１導体部４１は、接地部３に接続されている。このため、埋設体２を地中に設置すると、第１導体部４１から土壌へ電気が導通可能になる。
【００２４】
接地体１は、接続部５とともに接地構造物１０を構成している。接続部５の一端は、変圧器１０１に接続され、接続部５の他端は、第１導体部４１に接続される。このため、変圧器１０１に接続された接続部５から地中に埋設された接地体１に電気が導通可能となり、変圧器１０１が接地される。
【００２５】
接地体１は、所定間隔をあけて複数配置される。接地体１は、側壁２１の長手方向の一端側に第１導体部４１を備え、側壁２１の長手方向の他端側に第２導体部４２を備える。第１導体部４１及び第２導体部４２は、それぞれ埋設体２に設けられた貫通孔４３を挿通する導線により構成される。
第１導体部４１を構成する導線の上端４１ａは、接続部５の他端に接続される。第１導体部４１の下端４１ｂ及び第２導体部４２の下端４２ｂは、埋設体２の下面２ｂの接地部３に接続しているので、第１導体部４１及び第２導体部４２は、接地部３に電気的に接続されている。
【００２６】
図１に示すように、接地体１が複数隣接し合う場合、第１導体部４１を構成する導線の上端４１ａは、連結部６に接続される。第２導体部４２を構成する導線の上端４２ａは、連結部６に接続される。隣り合う一方の接地体１の第１導体部４１と、他方の接地体１の第２導体部４２とは、連結部６を介して連結される。したがって、２つの隣り合う接地体１が連結され、変圧器１０１と電気的に接続される接地部３の表面積が増える。
【００２７】
連結部６は、例えばゴムなどの絶縁性の部材６１で被覆されている。このため、導線を電流が流れた場合でも、電流の流れる導線が直接地上に露出されない。
【００２８】
次に、本発明の効果について説明する。
本実施形態によれば、接地体１に、少なくとも一部が地中に埋設される埋設体２と、埋設体２の厚さ方向に延び一端が埋設体２の上面２ａに露出し、他端が埋設体２の下面２ｂに露出する第１導体部４１と、埋設体２の底部２２における下面２ｂに配置され、第１導体部４１と接するシート状の接地部３とを設けた。したがって、埋設体２と接地部３とをともに地中に埋設させることにより、埋設体２の埋設工事とともに接地工事を行うことが可能となり、接地工事が容易にできる。
【００２９】
本実施形態によれば、接地体１に、接続部５を接続し、接地構造物１０とした。接続部５の一端は、変圧器１０１に接続し、接続部５の他端は、第１導体部４１に接続した。このため、変圧器１０１などの接地対象物と第１導体部４１とを接続することにより、接地することができる。
【００３０】
本実施形態によれば、埋設体２の側壁２１における長手方向の一端に第１導体部４１を設け、他端に第２導体部４２を設けた。また、接地体１を所定間隔をあけて複数配置し、隣り合う２つの接地体１の一方における第１導体部４１と、他方における第２導体部４２と、を連結する連結部６を設けた。複数の接地体１が互いに電気的に導通可能に接続されるため、変圧器１０１と接続される接地部３の表面積が増え、接地抵抗を低減できる。また、接地する対象の電圧の大きさや、土壌の性質に応じて、埋設体２を連結する数を調整することにより、接地抵抗を必要な値に調整することができる。
【００３１】
本実施形態によれば、連結部６は絶縁性の部材６１で被覆されている。このため、側溝の蓋２０を開けられたり、ずらされたりした状態で、導線を電流が流れた場合でも、電流の流れる導線が直接地上に露出されない。したがって、地上で導線に直接人間や物が接触することはなく、安全性が確保できる。
【００３２】
本実施形態によれば、埋設体２を、横断面が略Ｕ字状の凹部を備える側溝により構成した。側溝は、雨水や排水などの排水路を形成するために複数連結して地中に埋設するものである。このため、接地する対象が高電圧の機器であった場合でも、接地工事のための大きな面積を備える空間を地中に確保する必要がない。側溝を配置するための所定の場所に、側溝を連続して配置することで、接地抵抗を低減するとともに接地を容易に行うことができる。
【００３３】
本発明の実施形態は、上記の実施形態に何ら限定されることなく、本発明の技術的範囲は、これに限定されるものではない。
例えば、埋設体２として、断面が略Ｕ字状の側溝を例示しているが、地中に埋設する構造物であれば、特に限定されない。
【００３４】
また、本実施形態では、第１導体部４１及び第２導体部４２は、貫通孔４３の内部を挿通する導線により構成したが、電流が第１導体部４１から接地部３に導通し、接地部３から第２導体部４２に導通することができれば、これに限られない。例えば、第１導体部及び第２導体部を鉄などの導電性の金属棒により構成してもよい。
【００３５】
また、本実施形態では、連結部６は導線で構成されているが、隣り合う２つの接地体のうちの一方の接地体１と他方の接地体１とを導電可能に連結するものであれば、導線に限られない。例えば、連結部は、鉄などの金属性の部材で構成されたものであってよい。この連結部は、接地体を所定方向に延びるように複数配置した場合に、一方の接地体における第１導体部が挿通する貫通孔に差し込まれる一端と、他方の接地体における第２導体部が挿通する貫通孔に差込まれる他端と、一端及び他端を連結する本体部分から形成されるコの字型の形状を備える。
【００３６】
このような構成により、接地体を所定の数配置した後で、２つの隣り合う接地体に設けられた貫通孔に連結部を差し込み、接地するために必要な数だけ接地体を連結部で連結することが容易になる。したがって、接地体及び連結部を有効に活用することができる。
【符号の説明】
【００３７】
１    接地体
２    埋設体
２ａ  上面
２ｂ  下面
３    接地部
５    接続部
６    連結部
２２  底部
４１  第１導体部
４２  第２導体部
１０１  変圧器（接地対象物）
【図１】
2010238560.tif 000003
【図２】
2010238560.tif 000004
【図３】
2010238560.tif 000005